(57)【要約】デマンドコントロールされるロジスティックシステムにおいて、ビデオカメラ装置４を備え、このビデオカメラ装置４は供給者に対応する供給ユニット２に対するエリア１を撮影してエリア１の像に相応するデータを送り出し、これらのデータがデータ線を経て表示ユニット１１上に表示のため供給者に到達するようにする。
2004514206.tif 000002
【特許請求の範囲】
【請求項１】
デマンドコントロールされるロジスティックシステムにおいて、ビデオカメラ装置を備え、このビデオカメラ装置は供給者に対応する供給ユニットに対するエリアを撮影してエリアの像に相応するデータを送り出し、これらのデータがデータ線を経て表示ユニット上に表示のため供給者に到達するようにしたデマンドコントロールされるロジスティックシステム。
【請求項２】
データ線が少なくとも部分的にインターネットにより形成されている請求項１記載のロジスティックシステム。
【請求項３】
ビデオカメラ装置が計算機と接続されているビデオカメラを含んでいる請求項１または２記載のロジスティックシステム。
【請求項４】
計算機としてパーソナルコンピュータ（ＰＣ）が設けられている請求項３記載のロジスティックシステム。
【請求項５】
ビデオカメラとしてウェブカメラ（Ｗｅｂｃａｍ）が設けられている請求項３または４記載のロジスティックシステム。
【請求項６】
像として静止像が伝送される請求項１ないし５のいずれか１つに記載のロジスティックシステム。
【請求項７】
確定された、好ましくは設定可能な時間間隔で静止像の現実化が行われる請求項６記載のロジスティックシステム。
【請求項８】
ビデオカメラ装置が操作手段を有し、その操作の際に静止像の現実化が行われる請求項６または７記載のロジスティックシステム。
【請求項９】
表示ユニットが操作手段を有し、その操作の際に静止像の現実化が行われる請求項６ないし８のいずれか１つに記載のロジスティックシステム。
【請求項１０】
操作手段がそれぞれ、個々の供給ユニットに取り付けられている供給ユニットを識別するデータに対するデータ担体と、表示装置に接続されているデータ担体に対する読取り装置とを含んでいる請求項９記載のロジスティックシステム。
【請求項１１】
表示ユニットが表示装置を有する計算機を含んでいる請求項１ないし１０のいずれか１つに記載のロジスティックシステム。
【請求項１２】
計算機としてパーソナルコンピュータ（ＰＣ）が設けられている請求項１１記載のロジスティックシステム。
【請求項１３】
デマンドコントロールされるロジスティックシステムに含まれている供給者に対応する供給ユニットに対するエリアを監視するための方法において、ビデオカメラ装置を用いてエリアが撮影され、エリアの像に相応するビデオカメラ装置の出力データがデータ線を経て供給者に伝送され、そこで表示ユニット上に表示される方法ステップを有する方法。
【請求項１４】
少なくともそれぞれ供給ユニットの取り出しの後にエリアの像が現実化され、供給者に伝送される請求項１３記載の方法。
【請求項１５】
像の現実化のためにビデオカメラ装置の相応の操作手段が操作される請求項１４記載の方法。
【発明の詳細な説明】
【０００１】
本発明はデマンドコントロールされるロジスティックシステムおよびデマンドコントロールされるロジスティックシステムを監視するための方法に関する。
【０００２】
たとえばカンバンロジスティックス（Ｋａｎｂａｎｌｏｇｉｓｔｉｋ）という呼び名で知られているこのようなロジスティックシステムは、在庫量を可能なかぎり僅かですますために、供給ユニットにおける在庫量が特定の最小値以下に低下したときに、供給者が常に１つまたは複数の供給ユニットを購買者のところに存在するエリアに供給することに基づいている。
【０００３】
供給ユニットはたとえば完全な構成グループ．個々の構成部分または構成部分または構成要素の包装ユニットであってよい。追納は、購買者が供給者に適当な仕方で、たとえばＦＡＸメッセージを送って、追納を要求することによりレリーズされる。
【０００４】
その際、供給者が供給ユニットにおける在庫量に関して、在庫量が最小在庫量以下に低下したときにしか情報を得られないことは供給者にとって不利である。
【０００５】
本発明の課題は、冒頭にあげた形式のロジスティックシステムを、最小在庫量に達する前に既に購買者における供給ユニットについての実際の在庫量に関する情報を供給者が与えられるように構成することである。さらに本発明の課題は、デマンドコントロールされるロジスティックシステムを監視するための方法を示すことである。
【０００６】
この課題は本発明によれば、デオカメラ装置を備え、このビデオカメラは供給者に対応する供給ユニットに対するエリアを撮影し、エリアの像に相応するデータを送り出し、これらのデータがデータ線を経て表示ユニット上に表示するため供給者に到達するロジスティックシステムにより解決される。
【０００７】
本発明の場合には供給者に対していつでも、エリアの像を手がかりにしてそこに存在している供給ユニットの数を知らせることが可能である。
【０００８】
また本発明は購買者に対して簡単化を可能にする。なぜならば、供給者の在庫量検査および通知が省略され得るからである。
【０００９】
本発明の好ましい実施例によれば、データ線が少なくとも部分的にインターネットにより形成されているので、供給者とビデオカメラ装置との間のデータ線を形成するための費用のかかる措置は必要でない。
【００１０】
本発明の別の好ましい実施例によれば、ビデオカメラ装置が計算機、特にパーソナルコンピュータ（ＰＣ）、と接続されているビデオカメラ装置を含んでいる。その際に好ましくはビデオカメラはいわゆるウェブカメラ（Ｗｅｂｃａｍ）である。こうしてビデオカメラ装置を実現することによって特別な費用が結び付くことはない。さらに、データ伝送がインターネットを介して行われるべき場合に対して、特に適したハードウェア構成が存在する。
【００１１】
多くの場合に、像として静止像が伝送されれば十分である。
【００１２】
この場合に必要な静止像の現実化は、確定された、好ましくは設定可能な時間間隔で行うことができ、その際に時間間隔は個々の場合に相応して選ぶことができ、時間ないし日のオーダーであり得る。しかし、本発明の別の変形例によれば、ビデオカメラ装置が操作手段を有してもよく、その操作の際に静止像の現実化が行われる。その場合、供給ユニットの取り出しの際に毎回操作手段を能動化し、静止像がそれぞれ現在の状況を表すように配慮することが可能である。
【００１３】
その際に操作手段として最も簡単な場合には、ビデオカメラ装置に属する計算機のインプット手段、たとえばキーボードまたはマウスを設けることができる。
【００１４】
しかし、本発明の特に好ましい構成によれば、操作手段が供給ユニットに取り付けられているデータ担体に対する読取り装置、例えばバーコード読取り装置とバーコードラベルとにより形成されていてもよい。この場合にはエリアから供給ユニットの取り出しの際にデータ担体が読まれ、読取り過程の終了の際に静止像が現実化される。
【００１５】
供給者の側に静止像の現実化に疑問が存在する場合に、この疑問は一掃され得るように、本発明の変形例によれば、表示ユニットは操作手段を有し、その操作の際に静止像の現実化が行われる。これは、表示ユニットが好ましくはパーソナルコンピュータ（ＰＣ）として構成されている表示装置を有する計算機を含んでいるならば、特に簡単に実現され得る。
【００１６】
方法に関する課題の部分は、本発明によれば、デマンドコントロールされるロジスティックシステムに含まれている供給者に対応する供給ユニットに対するエリアを監視するための方法において、ビデオカメラ装置を用いてエリアが撮影され、エリアの像に相応するビデオカメラ装置の出力データがデータ線を経て供給者に伝送され、そこで表示ユニット上に表示されることにより解決される。その際本発明の変形例によりそれぞれ供給ユニットの取り出しの後にエリアの像が現実化され、供給者に、好ましくはビデオカメラ装置の相応の操作手段の操作に応じて、伝送される。
【００１７】
本発明の１つの実施例が添付の部分的にプロック回路図状の概要図に示されている。
【００１８】
図はデマンドコントロールされるロジスティックシステムを示し、このシステムでは供給者に、図には著しく縮小されて示されている、購買者のところに存在するエリア１が対応付けられ、このエリア上に供給者は供給者から供給される供給ユニット２を格納する。
【００１９】
それぞれデマンドの際に供給ユニットがエリア１から取り出され、各供給ユニット２またはその内容物が必要とされる製造ラインに供給される。
【００２０】
供給ユニット２はそれぞれ、各供給ユニット２を識別するデータを含むデータ担体としてバーコードラベル３を設けられている。
【００２１】
エリア１は全体として符号４を付されているビデオカメラ装置を用いて監視される。ビデオカメラ装置はビデオカメラ５および計算機６を含んでおり、この計算機にキーボード７と、バーコードラベル３に対する読取り装置としてのバーコードリーダー８と、表示装置、たとえばモニター９、とが接続されている。計算機６は従来通常のパーソナルコンピュータ（ＰＣ）であり、ビデオカメラ５は専門業者から“ｗｅｂｃａｍ”として入手可能な形式のビデオカメラである。
【００２２】
ビデオカメラ５は、少なくとも部分的に符号１０を付されているインターネット（ＷＷＷ）により形成されているデータ線を介して、供給者のところにある全体として符号１１を付されている表示ユニットと接続されている。
【００２３】
表示ユニット１１は計算機１２、特に接続されているキーボード１３および指示装置、たとえばモニター１４、を有するパーソナルコンピュータ（ＰＣ）である。
【００２４】
インターネット１０を介しての表示装置１１とのビデオカメラ装置４の接続により、供給者が、どれだけの供給ユニット２がその瞬間になおエリア１上にあるかを認識し、新しい供給ユニット２をエリア１に供給するのが適切であるかどうかを判定することができるように、ビデオカメラ５を用いて撮影されたエリア１の像を供給者に伝送し、モニタ１４上に表示することができる。
【００２５】
このことが基本的に可能であるとしても、説明されるロジスティックシステムの好ましい作動形式ではエリア１のライフ像ではなく静止像が伝送される。この静止像は確定された時間間隔で現実化され、その際に時間間隔はキーボード７による適当な入力により設定可能である。
【００２６】
それぞれ設定された時間に無関係に静止像の現実化を可能にするため、操作手段として機能するビデオカメラ装置４のキーボード７の相応の操作により静止像が現実化され得る。
【００２７】
さらに、供給ユニット２がエリア１から取り出されるときに毎回、供給ユニットを各製造ラインに供給するため、バーコードリーダー８を用いて、取り出された供給ユニット２のバーコードラベル３が読み取られる。この読出し過程によりレリーズされて、一方ではビデオカメラ装置４がそれから供給される静止像を現実化する。
【００２８】
それぞれ現実化された静止像および場合によってはバーコードラベル３から読み出されたデータの伝送は、たとえば静止像の現実化を指示するｅメールのデータ設備（アタッチメント）として行われる。
【００２９】
それに代えて、供給者にいわゆるプッシュ技術の応用により、静止像の現実化および場合によってはバーコードラベル３のより新しいものの存在に読み出されたデータを指示する可能性も存在する。現実化された静止像および場合によっては付属のデータは次いで、供給者が相応の質問に同意するかぎり、自動的に供給者に伝送され、表示ユニット１１上に表示される。
【００３０】
ｅメールおよびプッシュ技術の応用のような措置は、インターネット１０を介して表示ユニット１１とのビデオカメラ装置４の連続的な接続が維持されるならば、もちろん省略され得る。
【００３１】
本発明の場合にはこうして供給者に、絶えずエリア１上に存在している供給ユニット２の数に関して最新の情報を提供する可能性が与えられている。
【００３２】
説明された実施例の場合には供給者はさらにそれ自体で、表示ユニット１１の操作手段として機能するキーボード１３の相応の操作により静止像を現実化する可能性を有する。
【００３３】
この場合には相応のメッセージがビデオカメラ装置４に送られ、それが、この機能がレリーズされているときに、小さい応用（ａｐｌｅｔ）をビデオカメラ装置４の計算機６上で開始し、それが静止像の現実化を生じさせる。
【００３４】
説明された実施例の場合にはビデオカメラ装置４と表示ユニット１１との間のデータ伝送は少なくとも部分的にインターネットを介して行われる。このことは本発明の範囲においては必然的なものではない。それどころかデータ伝送は他の仕方でも、たとえばＷＡＮ（広域ネットワーク）またはＬＡＮ（構内ネットワーク）を介しても行われ得る。またビデオカメラ装置４および（または）表示ユニット１１の構成は説明された実施例と異なっていてもよい。
【図面の簡単な説明】
【図１】
本発明のデマンドコントロールされるロジスティックシステムの概要図を示す。
【符号の説明】
１　エリア
２　供給ユニット
３　バーコードラベル
４　ビデオカメラ装置
５　ビデオカメラ
６　計算機
７　キーボード
８　バーコードリーダー
９　モニター
１０　インターネット
１１　表示ユニット
１２　計算機
１３　キーボード
１４　モニター
【国際公開パンフレット】
2004514206.tif 000003
2004514206.tif 000004
2004514206.tif 000005
2004514206.tif 000006
2004514206.tif 000007
2004514206.tif 000008
2004514206.tif 000009
2004514206.tif 000010
2004514206.tif 000011
2004514206.tif 000012
2004514206.tif 000013
2004514206.tif 000014
【国際調査報告】
2004514206.tif 000015
2004514206.tif 000016
2004514206.tif 000017
2004514206.tif 000018
2004514206.tif 000019
2004514206.tif 000020